(57)【要約】【課題】補整効果を高めるとともに、より快適な着用感を与える。【解決手段】衣料１は、着用者の骨盤上端相当位置付近から肋骨下端相当位置付近の領域に付着した贅肉のボリュームを移動させて体形を補整する機能を有し、第１緩衝部Ｎ１、第２緩衝部Ｎ２および中間緊締部Ｐ１を備えている。第１緩衝部Ｎ１および第２緩衝部Ｎ２は、相対的に締め付け力が小さい。中間緊締部Ｐ１は、第１及び第２緩衝部との間に形成され、左右の両脇部分からランゲルラインを跨ぐように湾曲しつつ前中心側へ至る前側部分と、左右の両脇部分よりも後中心側の方の幅が大きくなるように形成されたランゲルラインを跨ぐ湾曲形状を有する背面側部分とから成り、相対的に大きい締め付け力を有する。【選択図】図１
2015067924.tif 000002
【特許請求の範囲】
【請求項１】
着用者の骨盤上端相当位置付近から肋骨下端相当位置付近の領域に付着した贅肉のボリュームを移動させて体形を補整する機能を有する本体部を備えた衣料であって、
前記本体部は、
左右両脇の肋骨下端近傍から前中心側へ周方向に延在する前側部分と、前記左右両脇の肋骨下端近傍から後中心側へ周方向に延在する背面側部分とから成り、相対的に締め付け力が小さい第１緩衝部と、
左右両脇の骨盤上端近傍から前中心側へ周方向に延在する前側部分と、前記左右両脇の骨盤上端近傍から後中心側へ周方向に延在する背面側部分とから成り、相対的に締め付け力が小さい第２緩衝部と、
前記第１及び前記第２緩衝部との間に形成され、左右の両脇部分からランゲルラインを跨ぐように湾曲しつつ前中心側へ至る前側部分と、左右の両脇部分よりも後中心側の方の幅が大きくなるように形成されたランゲルラインを跨ぐ湾曲形状を有する背面側部分と、から成り、相対的に大きい締め付け力を有する中間緊締部と、を備えている衣料。
【請求項２】
前記中間緊締部は、
後中心近傍において、上下に分岐して環状部を形成し、前記環状部の内側部分に相対的に上下方向に易伸縮性を有する第３緩衝部が形成されている、
請求項１に記載の衣料。
【請求項３】
前記の環状部は、着用時において１．５から４．５センチ幅を有する
ことを特徴とする、請求項２に記載の衣料。
【請求項４】
前記第１緩衝部は、左右の両脇側よりも後中心側の幅が大きくなるように形成されている、ことを特徴とする請求項１から３のいずれかに記載の衣料。
【請求項５】
前記第１緩衝部と、前記第２緩衝部とは、腹直筋を分画する腱画を覆うように配設される、ことを特徴とする請求項１ないし４のいずれか１項に記載の衣料。
【請求項６】
着用状態において、当該衣料がずり下がらないように前記本体部を肩に吊り下げて支持するための肩側支持部をさらに備える、ことを特徴とする請求項１ないし５のいずれか１項に記載の衣料。
【請求項７】
着用状態において、当該衣料がずり上がらないように前記本体部に下側から支持するためのクロッチ支持部をさらに備える、ことを特徴とする請求項１ないし６のいずれか１項に記載の衣料。
【請求項８】
第７胸椎から第９胸椎に至る領域の少なくとも一部を覆いつつ、左右の肩胛骨を覆うように左右の両脇側へ延在し、相対的に大きい締め付け力を有する肩脇緊締部が形成されている、ことを特徴とする請求項１から７のいずれかに記載の衣料。
【発明の詳細な説明】
【技術分野】
【０００１】
本発明は、着用者を被覆する衣料に関する。
【背景技術】
【０００２】
一般的に、補整下着を着用しボディラインを整えた後に、服を着用することにより、着用者が服を美しく着こなすことが知られている。補整下着は、贅肉を押さえ込むことにより、補整下着を着用後の着用者のサイズを、補整下着を着用しない場合の着用者のサイズより小さくして、体型を補整する効果が期待できる。
【０００３】
例えば、ボディスーツの裏側に、局部的に当て布を縫合して当て布による巻き上げ効果で、体型を補整する衣料がある（例えば、特許文献１参照。）。
【先行技術文献】
【特許文献】
【０００４】
【特許文献１】特開２００５−１７９８７３号公報
【発明の概要】
【発明が解決しようとする課題】
【０００５】
しかしながら、局部的に贅肉を押さえ込む補整下着は、贅肉を押さえ込む部分と、それ以外の部分との境界で、ボディラインが崩れる場合がある。具体的には、局部的に贅肉を押さえると、押さえ込まない部分に贅肉が逃げ、補整前に贅肉のふくらみ（ボリューム）が生じた場所と異なる場所に贅肉のふくらみが移動する場合がある。
【０００６】
また、従来の補整下着は贅肉をきつく締め上げて押さえ込むために、着用者に動きづらさや苦しさを与えてしまう場合がある。
【０００７】
従って本発明の目的は、補整効果を高めるとともに、より快適な着用感を与えることが可能な衣料を提供することである。
【課題を解決するための手段】
【０００８】
上記課題を解決するために、本発明の特徴は、着用者の骨盤上端相当位置付近から肋骨下端相当位置付近の領域に付着した贅肉のボリュームを移動させて体形を補整する機能を有する本体部を備えた衣料であり、本体部は、第１緩衝部、第２緩衝部、中間緊締部を備えている。第１緩衝部は、左右両脇の肋骨下部近傍から前中心側へ周方向に延在する前側部分と、左右両脇の肋骨下端近傍から後中心側へ周方向に延在する背面側部分とから成り、相対的に締め付け力が小さい。第２緩衝部は、左右両脇の骨盤上端近傍から前中心側へ周方向に延在する前側部分と、左右両脇の骨盤上端近傍から後中心側へ周方向に延在する背面側部分とから成り、相対的に締め付け力が小さい。中間緊締部は、第１及び第２緩衝部との間に形成され、左右の両脇部分からランゲルラインを跨ぐように湾曲しつつ前中心側へ至る前側部分と、左右の両脇部分よりも後中心側の方の幅が大きくなるように形成されたランゲルラインを跨ぐ湾曲形状を有する背面側部分とから成り、相対的に大きい締め付け力を有する。
【０００９】
この構成では、肋骨の下端近傍を経由して前中心側と後中心側へ延びる第１緩衝部と、左右両脇の骨盤上端近傍を経由して前中心側と後中心側へ延びる第２緩衝部との間に、挟まれるように中間緊締部が形成されている。第１緩衝部、第２緩衝部、中間緊締部は、いずれも湾曲形状を呈している。
【００１０】
ここで、発明者らの知見によれば、ランゲルライン（皮膚割線）と並行に皮膚を着衣等で押圧すると食い込み易いのに対し、ランゲルラインと交差するように着衣等で押圧すると着衣等が皮膚に食い込み難い。
【００１１】
さらに、発明者らの研究によれば、肋骨下端近傍から後中心側へ向かってランゲルラインに沿うようにして皮下組織の結合の強い線状領域が存在し、この領域に線状に皺が寄ることが判明した。また、左右両脇の骨盤上端近傍においても、上記同様後中心側へ向かってランゲルラインに沿うようにして皮下組織の結合の強い線状領域が存在し、この領域に線状に皺が寄ることも判明した。
【００１２】
そして、これらの皺の寄り易い線状領域を第１及び第２緩衝部で覆いつつ、その間の中間部分を中間緊締部で締め付けることによって、贅肉のボリュームを前記の中間部分から上下の第１及び第２緩衝部側へ押し出して移動させ、体形を補整することができる。
【００１３】
さらに、締め付け力の大きい中間緊締部は、上記の皺の寄り易い線状領域を避けてその間に形成されているため、着用時、食い込みが生じにくい。また、本発明では、緊締部が形成されている部分だけ締め付ける構成を採用しているため、着用状態における締付感を低減させることもできる。
【発明の効果】
【００１４】
本発明によれば、補整効果を高めるとともに、より快適な着用感を与えることが可能な衣料を提供することができる。
【図面の簡単な説明】
【００１５】
【図１】本発明の実施の形態に係る衣料の後身頃を説明する図である。
【図２】本発明の実施の形態に係る衣料の前身頃を説明する図である。
【図３】本発明の実施の形態に係る衣料の背側の各部の着用位置を説明する図である。
【図４】贅肉のふくらみと、ふくらみの上下に生じる皺を説明する図である。
【図５】本発明の実施の形態に係る衣料について、背側の贅肉のふくらみ、皺、および緊締部を説明する図である。
【図６】（ａ）は、腹側のランゲルラインを説明する図であって、（ｂ）は、背側のランゲルラインを説明する図である。
【図７】本発明の実施の形態に係る衣料において、贅肉のふくらみを加圧するとともに、加圧により移動した贅肉を支えて均す仕組みを説明する図である。
【図８】本発明の実施の形態に係る衣料の伸縮許容部を説明する図である。
【図９】本発明の実施の形態において、動作中と動作後の衣料の着用状態を比較する図である。
【図１０】本発明の実施の形態に係る衣料の背側の各部の着用時の長さを説明する図である。
【図１１】本発明の実施の形態に係る衣料と一般的な補整下着との着用状態について、背側から比較する図である。
【図１２】本発明の実施の形態に係る衣料と一般的な補整下着との着用状態について、右側から比較する図である。
【図１３】本発明の実施の形態に係る衣料と一般的な補整下着との着用状態について、上半身を捻った状態で右側から比較する図である。
【図１４】本発明の実施の形態に係る衣料の伸縮許容部のバリエーションを説明する図である。（その１）
【図１５】本発明の実施の形態に係る衣料の伸縮許容部のバリエーションを説明する図である。（その２）
【図１６】本発明の実施の形態に係る衣料の変形例を説明する図である。
【発明を実施するための形態】
【００１６】
次に、図面を参照して、本発明の実施の形態を説明する。以下の図面の記載において、同一または類似の部分には同一または類似の符号を付している。
【００１７】
（衣料）
図１〜図３を参照して、本発明の実施の形態に係る衣料１を説明する。本発明の実施の形態において衣料１は、伸縮性を備える生地で、着用者の胴体部のボディラインにフィットして、着用者の一部を被覆する。衣料１は、服を着用する前に着用者のボディラインを整える補整下着であって、ブラジャーＵ１と併用して着用する場合を説明するが、これに限られない。例えば衣料１は、カップ部を有することにより、ブラジャーの機能も実現しても良い。また、衣料１は、胴体を被覆する場合を説明するが、下肢部まで被覆しても良いし、腰より上側を覆う上半身用衣料であっても良い。また、衣料１は、補整下着に限られず、水着やレオタードなど、着用者のボディラインが露出する衣料でも良い。
【００１８】
衣料１は、後身頃部１ａと前身頃部１ｂにより形成される。後身頃部１ａは、図１に示すように、着用者の背側の肩胛骨近傍から臀部を覆う。前身頃部１ｂは、図２に示すように、着用者の腹側のアンダーバストから下肢部上端までを覆う。衣料１は、着用者の骨盤上端相当位置付近から肋骨下端相当位置付近の領域などに付着した贅肉などのボリュームを移動させて体形を補整する機能を有する本体部を備える。
【００１９】
衣料１は、上固定部（肩側支持部）２、下固定部（クロッチ支持部）３、緊締部Ｐ、緩衝部Ｎおよび弱緊締部Ｑを備える。
【００２０】
上固定部２は、例えば肩ストラップであって、胴体上部で、衣料１を上方向から着用者に固定するために、衣料１の上部側に配設される。上固定部２は、着用状態において、衣料１がずり下がらないように本体部を肩に吊り下げて支持する。
【００２１】
下固定部３は、例えばクロッチであって、胴体下部で、衣料１を下方向から着用者に固定するために、衣料１の下部側に配設される。下固定部３は、着用状態において、衣料１がずり上がらないように本体部に下側から支持する。
【００２２】
緊締部Ｐは、贅肉のふくらみ（ボリューム）を加圧することにより、贅肉を分散させる緊締部である。図１および図２に示す例において、緊締部Ｐを斜め斜線のハッチングにより示す。緩衝部Ｎは、緊締部Ｐにより分散された贅肉のボリュームを、緊締部Ｐよりも小さい加圧で受け入れることを可能とする。本発明の実施の形態に係る衣料１は、緊締部Ｐと緩衝部Ｎとを、適宜隣接して配置することにより、小さい力で高い効果を得られる位置を加圧して、ボディラインを均すことを可能とする。これにより、着用者の補整効果を高めるとともに、より快適な着用感を与えることができる。
【００２３】
弱緊締部Ｑは、緊締部Ｐ等よりも小さい圧力であって、且つ、緩衝部Ｎよりも大きい圧力を肌に作用させる。図１および図２に示す例において、弱緊締部Ｑをドットのハッチングにより示す。
【００２４】
緊締部Ｐは、中間緊締部Ｐ１、肩脇緊締部Ｐ２および下腹部緊締部Ｐ３を備える。弱緊締部Ｑは、前側弱緊締部Ｑ１および腰部弱緊締部Ｑ２を備える。緩衝部Ｎは、腹部上緩衝部Ｎ１、腹部下緩衝部Ｎ２、後中心緩衝部Ｎ３、背面側上辺緩衝部Ｎ４、および臀部緩衝部Ｎ５を備える。本発明の実施の形態において、腹部上緩衝部Ｎ１および腹部下緩衝部Ｎ２を、腹部緩衝部と称する場合がある。
【００２５】
緊締部Ｐによる加圧方法は、様々な方法が考えられる。例えば、生地の編み目数や編み方を変えることにより、加圧する方法がある。他に、生地に当て布を配設したり、樹脂プリントを施したりすることにより、加圧する方法もある。本発明の実施の形態において、緊締部Ｐにおける加圧方法は問わない。
【００２６】
（概要）
まず、図４および図５を参照して、本発明の実施の形態に係る衣料１に関し、着用者の贅肉のふくらみと、ふくらみの上下に生じる皺を説明する。図４（ａ）は、人間の腹直筋を示し、図４（ｂ）は、腹側の贅肉のふくらみを示し、図４（ｃ）は、左側の贅肉のふくらみを示す。図５は、背側の贅肉のふくらみを示す。図４および図５において、贅肉のふくらみと皺の関係の説明のしやすさのため、贅肉の多い女性をモデルに説明するが、本発明の実施の形態に係る衣料１の着用者は、贅肉の多い女性に限定されるものではない。
【００２７】
図４（ｂ）および（ｃ）に示すように、贅肉のふくらみＦ１〜Ｆ４は、胴体の周方向に略水平に設けられる。また、贅肉のふくらみＦ１〜Ｆ４は、贅肉の上下に皺Ｗ１〜Ｗ４を伴って生じる。換言すると、贅肉のふくらみＦ１は、皺Ｗ１によって皮膚が区切られることによって生じる。贅肉のふくらみＦ２は、皺Ｗ１およびＷ２に区切られることによって生じる。贅肉のふくらみＦ３は、皺Ｗ２およびＷ３に区切られることによって生じる。贅肉のふくらみＦ４は、皺Ｗ３およびＷ４に区切られることによって生じる。
【００２８】
これは、図４（ａ）に示すように、人間の腹直筋Ｋが、腱画Ｋ１〜Ｋ３によって、上下方向に３つに分割されていること、および、図６（ａ）に示すように腹部を水平方向にランゲルラインが走行することに起因する。ここでランゲルラインは、細胞分裂の過程で出来た分裂線で、皮膚の裂けやすいラインの名称である。ランゲルラインは、皮膚割線やLanger割線などとも呼ばれる。
【００２９】
具体的には、腹直筋Ｋが腱画Ｋ２によって区切られること伴って、腱画Ｋ２の皮膚側に、腹側の皮膚を区切る皺Ｗ２を生じやすくなる。さらに、水平に走行するランゲルラインに沿って、背側にも皺Ｗ２が水平方向に延在する。これにより、皺Ｗ２の上部および下部に、贅肉のふくらみＦ２およびＦ３が周方向に生じる。同様に、腹直筋Ｋが腱画Ｋ３によって区切られること伴って、腱画Ｋ３の皮膚側に皺Ｗ３を生じやすくなり、皺Ｗ３の上部および下部に、贅肉のふくらみＦ３およびＦ４が周方向に生じる。
【００３０】
また、腹直筋Ｋが腱画Ｋ１によって区切られることに伴って、腱画Ｋ１の皮膚側に、腹側の皮膚を区切る皺Ｗ１を生じやすくなる。ここで図６（ｂ）に示すように、ランゲルラインは、背側の肩胛骨周りでは、脇下から、脊柱にむけて斜め上向きに走行する。従って、図５に示すように、背側において、斜め上向きに走行するランゲルラインに沿って、脇下から脊柱に向けて斜め上方向に、皺Ｗ１が生じやすくなり、皺Ｗ１の上部および下部に、贅肉のふくらみＦ１およびＦ２が斜め上方向に生じる。
【００３１】
贅肉のふくらみＦ２、Ｆ３およびＦ４と、皺Ｗ２およびＷ３の断面は、図７（ａ）に示すように設けられる。本発明の実施の形態に係る衣料１の緊締部Ｐは、贅肉のふくらみＦ２、Ｆ３およびＦ４を、加圧することで、図７（ｂ）に示すように、各ふくらみを形成する贅肉のボリュームが、皺Ｗ２およびＷ３の位置に移動し、ふくらみの高さが軽減する。また、皺Ｗ２およびＷ３は、加圧された贅肉のふくらみＦ２、Ｆ３およびＦ４の贅肉によって埋められるので、皺の深さが軽減する。これにより、本発明の実施の形態に係る衣料１は、贅肉のふくらみを均し、段差を軽減したボディラインを形成する。
【００３２】
以下、腹部、胸部および下腹部のそれぞれについて、ボディラインの補整方法を説明する。なお図１〜図３に示す緊締部Ｐ、弱緊締部Ｑおよび緩衝部Ｎの形状や位置などは一例であって、これに限るものではない。また、本発明の実施の形態に係る補整方法と他の補整方法とを、適宜混合して適用しても良い。例えば、腹部、胸部および腹部で、異なる補整方法で補整される構成としても良い。また、腹部の背側と腹側で異なる補整方法で補整される構成としても良い。
【００３３】
（腹部）
本発明の実施の形態において腹部は、説明の簡単の為、着用者の骨盤上端相当位置付近から肋骨下端相当位置付近に対応する高さ位置の腹側および背側の部分を指すものとする。
【００３４】
中間緊締部Ｐ１、腹部上緩衝部（第１緩衝部）Ｎ１および腹部下緩衝部（第２緩衝部）Ｎ２が、腹部のボディラインの補整を担う。
【００３５】
中間緊締部Ｐ１は、腹部上緩衝部Ｎ１および腹部下緩衝部Ｎ２との間に形成される。中間緊締部Ｐ１は、左右の両脇部分からランゲルラインを跨ぐように湾曲しつつ前中心側へ至る前側部分と、左右の両脇部分よりも後中心側の方の幅が大きくなるように形成されたランゲルラインを跨ぐ湾曲形状を有する背面側部分とから成る。中間緊締部Ｐ１は、相対的に大きい締め付け力を有する。
【００３６】
中間緊締部Ｐ１は、着用者の骨盤上端相当位置付近から肋骨下端相当位置付近に対応する高さ位置の腹側および背側において、贅肉のふくらみを加圧する。また中間緊締部Ｐ１は、贅肉のふくらみの上下側に生ずる皺に被らない位置に配設される。
【００３７】
中間緊締部Ｐ１は、着用者の腹部に生ずる贅肉のふくらみ位置に対応して配設される。図２および図３に示すように中間緊締部Ｐ１は、着用者の背側の骨盤上端Ｌ３から肋骨下端Ｌ１の位置近傍で、着用者の周方向に略平行に設けられる。中間緊締部Ｐ１は、背側において、左右端近傍において略水平形状に形成され、左右端近傍の贅肉のふくらみを加圧する。図５に示すように中間緊締部Ｐ１は、皺Ｗ２および皺Ｗ３によって区切られて形成される贅肉のふくらみＦ３を加圧するので、ふくらみＦ３の高さを抑制することができる。
【００３８】
中間緊締部Ｐ１の上方向に腹部上緩衝部Ｎ１が設けられ、下方向に腹部下緩衝部Ｎ２が設けられる。腹部上緩衝部Ｎ１および腹部下緩衝部Ｎ２は、中間緊締部Ｐ１に上下方向に隣接して配設され、中間緊締部Ｐ１の加圧により移動した贅肉を、中間緊締部Ｐ１の加圧より小さい力で押圧する。腹部上緩衝部Ｎ１および腹部下緩衝部Ｎ２は、贅肉のふくらみＦ３の上下に生じる皺Ｗ２およびＷ３の位置に対応して設けられ、腹側で腱画を覆うように配設され、背側で腹直筋Ｋを分画する腱画Ｋ２およびＫ３相当の高さに配設される。
【００３９】
腹部上緩衝部Ｎ１は、左右両脇の肋骨下端近傍から前中心側へ周方向に延在する前側部分と、左右両脇の肋骨下端近傍から後中心側へ周方向に延在する背面側部分とから成り、相対的に締め付け力が小さい。腹部上緩衝部Ｎ１は、左右の両脇側よりも後中心側の幅が大きくなるように形成されていることが好ましい。
【００４０】
腹部下緩衝部Ｎ２は、左右両脇の骨盤上端近傍から前中心側へ周方向に延在する前側部分と、左右両脇の骨盤上端近傍から後中心側へ周方向に延在する背面側部分とから成り、相対的に締め付け力が小さい。腹部下緩衝部Ｎ２は、左右の両脇側と後中心側の幅が同程度の幅となるように形成されていることが好ましい。
【００４１】
腹部上緩衝部Ｎ１および腹部下緩衝部Ｎ２は、中間緊締部Ｐ１よりも小さい力であって、中間緊締部Ｐ１によって押し出された贅肉にフィットして、ボディラインを整えることができる程度の力で、着用者の皮膚を加圧する。腹部上緩衝部Ｎ１および腹部下緩衝部Ｎ２は、皺部分に贅肉が寄せられることにより、皺の深さを浅くすることができるので、腹部上緩衝部Ｎ１、中間緊締部Ｐ１および腹部下緩衝部Ｎ２の表面が均され、段差のないボディラインを実現する。
【００４２】
また中間緊締部Ｐ１は、前中心近傍および後中心近傍で、着用者のランゲルラインを交差するように配設され、背面視したときの左端近傍および右端近傍で、ランゲルラインに略平行になるように配設される。
【００４３】
発明者らの知見によると、ランゲルラインに沿って、皮膚の段差が生じやすくなり、着用者が動くことにより、生地のずれが生じ、ランゲルラインに沿って生地が食い込む。
【００４４】
そこで、本発明の実施の形態において中間緊締部Ｐ１は、前中心近傍および後中心近傍で、着用者のランゲルラインを交差するように設けられるので、着用者の動きによる生地の食い込みを回避する。また中間緊締部Ｐ１は、左右端近傍において水平に設けられるので、腹部の左右端の水平方向に生じる贅肉のふくらみを加圧して均す。これにより、他人の目に入りやすい左右端において、段差のないボディラインを実現することを可能とする。また、前中心近傍および後中心近傍は、贅肉の段差が生じてもわかりにくく、特に後中心近傍は、比較的贅肉の少なく、皺および贅肉のふくらみが生じにくい部位である。従って、ランゲルラインに交差するように配設することで、中間緊締部Ｐ１による加圧が低減しても、美しいボディラインの形成に与える影響は小さく、かつ、動きによる生地の食い込みを回避できる効果を得られる。
【００４５】
また、中間緊締部Ｐ１は、後中心近傍に、上下方向に幅広で、上下方向の伸縮を許容する伸縮許容部Ｐ１０を備える。伸縮許容部Ｐ１０は、着用者が上半身を左右前後方向に動かしたとき、皮膚の伸縮に生地が追従するような構成とする。具体的には、伸縮許容部Ｐ１０は、上方向へ凸状の湾曲部Ｐ１１と、下方向へ凸状の湾曲部Ｐ１２とを備え、湾曲部Ｐ１１と湾曲部Ｐ１２との間に伸縮部（第３緩衝部）Ｐ１３を備える環状部である。湾曲部Ｐ１１及び湾曲部Ｐ１２は、後中心近傍において、上下に分岐して環形状を形成し、贅肉のふくらみを加圧することにより贅肉を分散させるための緊締部である。背中心緩衝部Ｎ３は、上下方向及び左右方向に対して伸縮性を有し、湾曲部Ｐ１１及び湾曲部Ｐ１２よりも小さい着圧を作用させる。伸縮許容部Ｐ１０は、図３に示すように、ウエストＬ２近傍から、骨盤上端Ｌ３近傍にかけて、後中心近傍に設けられ、着用者の動きにより皮膚の移動が大きい場所に設けられることが好ましい。
【００４６】
湾曲部Ｐ１１は、中間緊締部Ｐ１が加圧するふくらみの上方向に形成される皺に被らないように、後中心近傍で上方向に湾曲している。湾曲部Ｐ１１は、着用者の背側左右端において、水平方向に設けられた中間緊締部Ｐ１がＹ字状に分裂した上部分である。湾曲部Ｐ１２は、中間緊締部Ｐ１が加圧するふくらみの下方向に形成される皺に被らないように、後中心近傍で下方向に湾曲している。湾曲部Ｐ１２は、着用者の背側左右端において、水平方向に設けられた中間緊締部Ｐ１がＹ字状に分裂した下部分である。伸縮許容部Ｐ１０は、湾曲部Ｐ１１および湾曲部Ｐ１２において、それぞれ、着用時において上下方向に、１．５から４．５センチ幅を有することが好ましいが、これに限るものではない。
【００４７】
湾曲部Ｐ１１は、腹部上緩衝部Ｎ１に対応する位置に設けられる皺にかからないように湾曲する。骨盤の中心近傍に贅肉のふくらみによる皺は生じにくいので、本発明の実施の形態において湾曲部Ｐ１２は、湾曲部Ｐ１１より大きく湾曲して配設される。
【００４８】
湾曲部Ｐ１１および湾曲部Ｐ１２は、贅肉のふくらみを押すことが可能な圧力を肌に与えた場合であっても、上方向または下方向への湾曲によって亘り長さが長いため、着用者の動きに応じて伸縮許容部Ｐ１０が上方向または下方向に伸縮することを妨げない。また湾曲部Ｐ１１および湾曲部Ｐ１２は、図６（ｂ）に示すように腹部の背側において脇下から脊柱にむけて斜め上向きに走行するランゲルラインに交差して設けられるので、上述したように、生地のずれによって生じる皺の形成を軽減する。
【００４９】
背中心緩衝部Ｎ３は、湾曲部Ｐ１１と湾曲部Ｐ１２とで形成される環状部の内側部分に配設され、上下方向に易伸縮性を有し、着用者の動きに追随して伸縮する。背中心緩衝部Ｎ３は、着用者の背側左右端において、水平方向に設けられた中間緊締部Ｐ１がＹ字状に分裂した湾曲部Ｐ１１および湾曲部Ｐ１２によって囲まれる楕円部分である。背中心緩衝部Ｎ３は、湾曲部Ｐ１１および湾曲部Ｐ１２よりも小さい圧力であって、皮膚にフィットする程度の圧力を皮膚に与える。
【００５０】
図８（ａ）は、直立時の伸縮許容部Ｐ１０の形状を示し、図８（ｂ）は、前傾姿勢時の伸縮許容部Ｐ１０の形状を示す。前傾姿勢時において伸縮許容部Ｐ１０は、湾曲部Ｐ１１により上方向に引かれるとともに、湾曲部Ｐ１２により下方向に引かれるので、背中心緩衝部Ｎ３は、大きく伸びやすくなる。これにより伸縮許容部Ｐ１０は、着用者の動きに追随して、皮膚にフィットした状態を保ちつつ伸縮することができる。またこのように伸縮許容部Ｐ１０を設けたことにより、着用者の動作による衣料１の生地のずれを防止するので、贅肉のふくらみを適切に加圧する位置および贅肉を埋める位置のずれを回避することができる。
【００５１】
図９（ａ）は、上半身を右方向に傾けた時の衣料１の状態を示し、図９（ｂ）は、右方向に傾けた後に直立した際の衣料１の状態を示す。図９（ａ）では、着用者の動作によって、右側に皺が形成される。しかしながら、その後直立すると、図９（ｂ）に示すように皺は解消するとともに、生地のずれも生じていない。従って、本発明の実施の形態に係る衣料１は、着用者が動いた後でも適切に加圧できるので、美しいボディラインを形成することができる。
【００５２】
（胸部）
本発明の実施の形態において胸部は、説明の簡単の為、胴体部分のうち、着用者の肋骨下端相当位置から上部を指すものとする。本発明の実施の形態係る衣料１は、胸部のうち、贅肉の多い部分を被覆する。衣料１は、腹側において、着用者の肋骨下端相当位置付近からアンダーバストに対応する高さ位置を、背側は、着用者の肋骨下端相当位置付近から肩胛骨近傍に対応する高さ位置を被覆する。
【００５３】
肩脇緊締部Ｐ２、腹部上緩衝部Ｎ１、前側弱緊締部Ｑ１、背面側上辺緩衝部Ｎ４、上固定部２および下固定部３が、胸部の背側のボディラインの補整を担う。
【００５４】
肩脇緊締部Ｐ２は、中間緊締部Ｐ１より上側に腹部上緩衝部Ｎ１を介して備えられ、肩胛骨近傍の贅肉を全面的に加圧する。肩脇緊締部Ｐ２は、第７胸椎から第９胸椎に至る領域の少なくとも一部を覆いつつ、左右の肩胛骨を覆うように左右の両脇側へ延在し、相対的に大きい締め付け力を有する。肩脇緊締部Ｐ２は、肩胛骨近傍に形成される贅肉を均すために、着用者の着用時に、上固定部２および下固定部３を支点として、肩脇緊締部Ｐ２に張力に起因する加圧力を付与する構成とする。
【００５５】
図３および図５に示すように、脇下から肩胛骨下部において、ブラジャーの着用時に、ブラジャーの背面布Ｕ１０が位置する。背面布Ｕ１０は、ブラジャーの特性上、強いパワーを有しているので、皺Ｗ１は、背面布Ｕ１０によって加圧されている。そこで、肩脇緊締部Ｐ２は、上固定部２および下固定部３と、肩胛骨による隆起とを利用して、肩胛骨近傍の生地に張力を生じさせ、この張力により肩胛骨近傍の贅肉を加圧する。これにより、肩脇緊締部Ｐ２は、肩胛骨近傍の贅肉のふくらみＦ１およびＦ２を全体的に広く加圧し、かつ、上固定部２を支点として上方向に引き上げることにより、贅肉のふくらみＦ１およびＦ２を均す。
【００５６】
また、図２に示すように、肩脇緊締部Ｐ２は、着用者の背側から、脇下を経由して腹側まで延在して配設される。これにより、肩胛骨から脇下近傍の贅肉を、腹側にも引くことができる。また、肩脇緊締部Ｐ２は、左右略対称に設けられ、後中心の第７胸椎から第９胸椎近傍に、上下方向を細く形成してある。これにより、張力が付与されることによる応力集中を生じやすくなり、左右の肩胛骨から脇下近傍の贅肉を、背中心方向に引くことができる。このように、肩胛骨から脇下近傍の贅肉を、左右方向にも散らすことにより、贅肉のふくらみを均すことができる。
【００５７】
また、腹側の腹部上緩衝部Ｎ１の上方には、前側弱緊締部Ｑ１が配設される。前側弱緊締部Ｑ１は、肋骨下端部からアンダーバスト部分の前中心近傍であって、ブラジャーのカップ部に被らない部分を、肩脇緊締部Ｐ２より小さく、腹部上緩衝部Ｎ１よりも大きい圧力で、加圧する。前側弱緊締部Ｑ１は、肩脇緊締部Ｐ１の前中心側から上固定部２に続くストラップ部分に延在しても良い。
【００５８】
さらに、肩脇緊締部Ｐ２の後中心近傍上方に、背面側上辺緩衝部Ｎ４が配設される。肩脇緊締部Ｐ２は、後中心の第７胸椎から第９胸椎近傍において、他の部分よりも細くなるように形成されている。これにより、着苦しさを軽減しつつ、適度に左右両脇部分を補整することができる。従って、上固定部２から続く背面側上辺緩衝部Ｎ４により、肩脇緊締部Ｐ２がずれるのを回避するように構成される。
【００５９】
（下腹部）
本発明の実施の形態において下腹部は、説明の簡単の為、胴体部分のうち、腹部の下方を指す。
【００６０】
下腹部緊締部Ｐ３は、図２に示すように腹側の下腹部を広く加圧し、その上端は、上方向に凸形状に形成される。これにより、水平方向に走行するランゲルラインを交差して下腹部緊締部Ｐ３が設けられるので、着用者の動作により、下腹部緊締部Ｐ３がずれるのを回避する。さらに、下腹部緊締部Ｐ３がずれにくい構成とされることにより、腹部下緩衝部Ｎ２もずれにくく、中間緊締部Ｐ１が適切な位置を加圧できる構成とする。
【００６１】
また下腹部緊締部Ｐ３は、図１および図３に示すように、腸骨上端近傍まで延伸して、腸骨近傍の贅肉のふくらみを加圧する。さらに、背側において下腹部緊締部Ｐ３に隣接して、下腹部緊締部Ｐ３より小さい力で加圧する腰部弱緊締部Ｑ２が設けられている。腰部弱緊締部Ｑ２は、中間緊締部Ｐ１等よりも小さい圧力であって、且つ、臀部緩衝部Ｎ５よりも大きい圧力を肌に作用させる。腰部弱緊締部Ｑ２は、下腹部緊締部Ｐ３の加圧により移動した腸骨上端近傍の贅肉を受け入れて、骨盤近傍の皮膚を均すとともに、腰部の贅肉を押さえることにより、美しいボディラインを形成する。
【００６２】
また、臀部に臀部緩衝部Ｎ５が設けられる。臀部緩衝部Ｎ５は、臀部の隆起にフィットして、なめらかなボディラインを形成する。
【００６３】
なお、本実施形態では、臀部周辺において、腰部弱緊締部Ｑ２と臀部緩衝部Ｎ５をそれぞれ設ける例を挙げて説明しているが、本発明はこれに限定されるものではない。例えば、臀部緩衝部Ｎ５設けずに、臀部乾燥部Ｎ５が設けられている部分についても腰部弱緊締部Ｑ２を設けるようにしても良い。但し、この場合には、腰部弱緊締部Ｑ２が臀部を過度に締め付けないように、腰部弱緊締部Ｑ２の締め付け力を調整することが好ましい。これにより、臀部を過度に締め付けることによって下固定部３の一部が上方にずれ上がるというような問題が発生することを回避することができる。
【００６４】
（衣料の各部位置）
図１０を参照して、本発明の実施の形態に係る衣料１を、身長１５２センチの着用者が着用した状態で、衣料１の各部位置を説明する。各部の位置は、一例であって、これに限定するものではない。
【００６５】
Ｇ１１、Ｇ１２、Ｇ１３、Ｇ１４、Ｇ１５およびＧ１６は、着用者の後中心上の長さを説明するために参照される。Ｇ１１は、第７頸椎から、衣料１の後中心上端の長さを示し、２２センチ程度となるように形成されることが好ましい。Ｇ１２は、衣料１の後中心上端から、肩脇緊締部Ｐ２の後中心下端または腹部上緩衝部Ｎ１の後中心上端までの長さを示し、８センチ程度となるように形成されることが好ましい。Ｇ１３は、腹部上緩衝部Ｎ１の後中心上の長さを示し、５センチ程度となるように形成されることが好ましい。Ｇ１４は、中間緊締部Ｐ１の湾曲部Ｐ１１の後中心上の長さを示し、２〜３センチ程度となるように形成されることが好ましい。Ｇ１５は、中間緊締部Ｐ１の背中心緩衝部Ｎ３の後中心上の長さを示し、４〜５センチ程度となるように形成されることが好ましい。Ｇ１６は、中間緊締部Ｐ１の湾曲部Ｐ１２の後中心上の長さを示し、２〜３センチ程度となるように形成されることが好ましい。
【００６６】
Ｇ２１、Ｇ２２およびＧ２３は、着用者の右端の長さを説明するために参照される。Ｇ２１は、肩脇緊締部Ｐ２の右端上の長さを示し、９センチ程度となるように形成されることが好ましい。Ｇ２２は、腹部上緩衝部Ｎ１の右端上の長さを示し、２〜３センチ程度となるように形成されることが好ましい。Ｇ２３は、第１緊締部Ｐ１の右端上の長さを示し、４センチ程度となるように形成されることが好ましい。
【００６７】
（効果）
図１１ないし図１３を参照して、本発明の実施の形態に係る衣料１の着用による補正の効果を説明する。図１１（ａ）、図１２（ａ）および図１３（ａ）は、本発明の実施の形態に係る衣料を着用した図で、図１１（ｂ）、図１２（ｂ）および図１３（ｂ）は、一般的な補整下着を着用した図である。
【００６８】
各（ｂ）の図において、水平方向に皺が形成され、皺によってボディラインの食い込みと、贅肉のふくらみが生じている。これに対し、各（ａ）の図において、皺の形成が軽減されているので、なめらかなボディラインを形成している。
【００６９】
本発明の実施の形態に係る衣料１は、腹部において、贅肉のふくらみを加圧し、皺部分に贅肉を移動させることにより、なめらかなボディラインを形成する。また、ふくらみの生じている部分に限定して圧を与えることにより、着用者に苦しさを与えづらい構成とする。さらに、ランゲルラインを越えて緊締部Ｐを設けることにより、着用者の動きによって衣料１のずれを生じにくくするので、生地の食い込みやボディラインの崩れなどを回避する。このように本発明の実施の形態に係る衣料１は、補整効果を高めるとともに、より快適な着用感を与えることができる。
【００７０】
（第１の変形例）
本発明の実施の形態において、伸縮許容部Ｐ１０がロの字形状の場合を説明したが、これに限られない。図１４（ａ）〜（ｅ）、および図１５（ａ）〜（ｅ）に示すように様々な形状が考えられる。図１４および図１５において、相対的に強く加圧される部分をハッチングで示す。
【００７１】
図１４（ａ）は、菱形状の伸縮許容部Ｐ１０を示す。（ｂ）は、雲形状の伸縮許容部Ｐ１０を示す。（ｃ）は、上湾曲縁および下湾曲縁において圧が高く、中央になるほど圧を低くするグラデーションによって形成される伸縮許容部Ｐ１０を示す。（ｄ）は、後中心がドーナツ状で、左右端方向に２方向に分岐された緊締部が設けられた伸縮許容部Ｐ１０を示す。（ｅ）は、中央に円状の加圧部分または模様を設ける。
【００７２】
図１５（ａ）は、中央にクロス状の加圧部分または模様を設ける。（ｂ）は、菱形状の伸縮許容部Ｐ１０で、中央に、菱形状の加圧部分または模様を設ける。（ｃ）は、中央に流線状の加圧部分または模様を設ける。（ｄ）は、上下方向の中心近傍で分割され、上下対称な伸縮許容部Ｐ１０を示す。（ｅ）は、中央に、水平方向の加圧部分または模様を設ける。
【００７３】
図１４および図１５に示す例は一例であって、これらの組み合わせでも良いし、これ以外の形状でも良い。
【００７４】
（第２の変形例）
本発明の実施の形態に係る衣料１は、下固定部３としてクロッチを備え、着用者の胴体を被覆する場合を説明したが、これに限られない。
【００７５】
例えば図１６に示すように第２の変形例に係る衣料１ａは、ボディラインにフィットするタイトスカート形状を持つ。衣料１ａは、クロッチを備えないが、着用者の骨盤、臀部ないし下肢部にフィットする構成とすることにより、骨盤、臀部ないし下肢部に沿う生地を、下固定部３ａとすることができる。
【００７６】
このほか、衣料１を上方向または下方向から固定し、衣料１の上下位置を定めることができれば、上固定部２または下固定部３は、どのように形成されてもよい。
【００７７】
（その他の実施の形態）
上記のように、本発明の実施の形態および第１および第２の変形例によって記載したが、この開示の一部をなす論述および図面はこの発明を限定するものであると理解すべきではない。この開示から当業者には様々な代替実施の形態、実施例および運用技術が明らかとなる。
【００７８】
例えば、衣料１は、補整下着として記載しているが、着用者にフィットする衣料であれば、どのような衣料でも良い。また、実施の形態において、衣料１の着用者は、贅肉の多い女性に限るものではない。
【００７９】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００８０】
１  衣料
２  上固定部（肩側支持部）
３  下固定部（クロッチ支持部）
Ｋ  腹直筋
Ｋ１、Ｋ２、Ｋ３  腱画
Ｎ  緩衝部
Ｎ１  腹部上緩衝部（第１緩衝部）
Ｎ２  腹部下緩衝部（第２緩衝部）
Ｎ３  後中心緩衝部（第３緩衝部）
Ｎ４  背面側上辺緩衝部
Ｎ５  臀部緩衝部
Ｐ  緊締部
Ｐ１  中間緊締部
Ｐ２  肩脇緊締部
Ｐ３  下腹部緊締部
Ｐ１０  伸縮許容部（環状部）
Ｐ１１、Ｐ１２  湾曲部
Ｑ  弱緊締部
Ｑ１  前側弱緊締部
Ｑ２  腰部弱緊締部
【図１】
2015067924.tif 000003
【図２】
2015067924.tif 000004
【図３】
2015067924.tif 000005
【図４】
2015067924.tif 000006
【図５】
2015067924.tif 000007
【図６】
2015067924.tif 000008
【図７】
2015067924.tif 000009
【図８】
2015067924.tif 000010
【図９】
2015067924.tif 000011
【図１０】
2015067924.tif 000012
【図１１】
2015067924.tif 000013
【図１２】
2015067924.tif 000014
【図１３】
2015067924.tif 000015
【図１４】
2015067924.tif 000016
【図１５】
2015067924.tif 000017
【図１６】
2015067924.tif 000018